Podtech/llm-jp-corpus-v4-ja_patent huggingface dataset:
(57)【要約】【課題】従来の構成では、羽根の高さが高い羽根車では、収納の際の重ね量が減少してしまい、効率的でかつ安価な荷姿はできない、という課題を有していた。【解決手段】円錐台状のハブ部の周囲に複数枚の羽根が配設され駆動部が吸い込み側に設置されている斜流送風機において、羽根車の吸い込み側のハブ径が一部小さく形成され、丸みを帯びさせることにより、送風性能を何ら阻害することなく、安価で効率的な荷姿を実現することができるという効果を奏する。【選択図】  図１
2004308622.tif 000002
【特許請求の範囲】
【請求項１】
円錐台状のハブ部の周囲に複数枚の羽根が配設され駆動部が吸い込み側に設置されている斜流送風機において、羽根車の吸い込み側のハブ径が一部小さく形成され、丸みを帯びている斜流送風機。
【請求項２】
前記羽根車のボス部の一部にゴム材料を用いたことを特徴とする請求項１記載の斜流送風機。
【請求項３】
前記羽根車の吸い込み側ハブ径が駆動部とほぼ同径であることを特徴とする請求項１記載の斜流送風機。
【請求項４】
前記羽根車の負圧面にディンプル状の窪みを設けていることを特徴とする請求項１記載の斜流送風機。
【発明の詳細な説明】
【０００１】
【発明の属する技術分野】
本発明は、空気調和機などに用いられている斜流送風機の羽根車に関するものである。
【０００２】
【従来の技術】
近年、斜流送風機の羽根車は、セパレート型空気調和機などの送風機として、業務用から家庭用まで幅広く使用されており、より低騒音化・高効率化が望まれる傾向にある。また、保管・輸送の際の効率的な荷姿を実現するための羽根車の形状も見なおされている。
【０００３】
以下、図面を参照しながら、上述した従来の羽根車について説明する。図２および図３は従来の送風機の羽根車の構造を示すものである。１は軸流羽根車であり２は複数の羽根で、３は前記羽根を固定した円柱形のハブである（例えば特許文献１参照）。
【０００４】
このような羽根車は、一般に以下のような動作をする羽根車１が所定の方向に回転し、空気が羽根車１内に流入し、羽根２の作用によって静圧と動圧が付加されて羽根車１外へ吐出され送風作用を試す。
【０００５】
そして、このように量産された数多くの羽根車の収納、保管方法としては、各羽根車を軸方向に重ね、なるべく多く重ね合わせるために、羽根高さを低く設計したり、また図３にようにハブ部に複数の切り欠き４を設け、重ねやすいようにしていた。
【０００６】
【特許文献１】
実公昭５３−２０００２号公報
【０００７】
【発明が解決しようとする課題】
しかしながら、前記従来の構成では、羽根の高さが高い羽根車では、収納の際の重ね量が減少してしまい、効率的でかつ安価な荷姿はできない。また、ハブ部に切り欠きを設けた場合においても、軸方向に面で重ねる個所が少ないために不安定な荷姿になりやすく、また羽根車に吸い込まれた流れの一部がハブに沿って、吐出されるが、その際、切り欠き部より、流れが剥離してしまい、流量特性を著しく低下させてしまい、騒音発生原因にもなる。
【０００８】
本発明はこのような従来の課題を解決するものであり、斜流羽根車の送風性能を阻害することなく、安価でかつ効率的な荷姿を実現するための斜流羽根車を提供するものである。
【０００９】
【課題を解決するための手段】
上記課題を解決するために本発明の斜流送風機は、円錐台状のハブ部の周囲に複数枚の羽根が配設され駆動部が吸い込み側に設置されている斜流送風機において、羽根車の吸い込み側のハブ径が一部小さく形成され、丸みを帯びさせている。
【００１０】
この構成によって、羽根高さの高い羽根車でもハブ径の一部小さくなっている所に別の同じ羽根車の吹き出し側ハブ部を軸方向に合わせ、それを数多く重ねることによって、より効率的な荷姿を実現することができる。また、ハブを切り欠く必要もないので、流れの剥離がなく騒音増加を防止できる。
【００１１】
【発明の実施の形態】
以下本発明の実施の形態について図面を参照して説明する。
【００１２】
図１は本実施の形態における斜流送風機の羽根車の構造を示すものである。６は斜流羽根車で７は内部がほぼ空洞の円錐台状のハブ部であり、８は吸い込み側ハブ部の一部の径が小さくなっている箇所である。９は駆動であるモータであり、１０はモータ軸が通る羽根車のボス部である。
【００１３】
以上のように構成された斜流送風機の羽根車について以下その動作と荷姿について説明する。
【００１４】
羽根車６が吸い込み側に設置された駆動部であるモータ９の回転により、羽根車のボス部１０に伝達され、所定の方向に回転し、空気が羽根車６内に流入し、羽根２の作用によって静圧と動圧がが付加されて羽根車６外へ吐出され、送風作用を試す。
【００１５】
また、本実施例による荷姿によれば、羽根車の吸い込み側ハブ部の径が小さくなっている所に別の同じ羽根車のハブ部７を軸方向に積み重ねることによって、収納しやすい状態になる。
【００１６】
さらに、前記吸い込み側ハブ部の端部の一部にＲ加工１１を施し、丸みをおびさせることにより、吸い込み流れの一部がハブに沿う際の衝突損失も和らげることができ、流量特性向上を助ける。
【００１７】
さらに他の実施例として、前記羽根車のボス部１０にゴム材料やエラストマー材料を使用すれば、モータ９の振動を吸収でき、振動や騒音を抑制することができる。
【００１８】
また、さらに他の実施例として吸い込み側ハブ径が駆動部とほぼ同径であれば、モータ９の外枠に沿って流入してくる流れが羽根車のハブ部７の端面に衝突することを最小限に抑えることができる。
【００１９】
また、さらに他の実施例として羽根車の羽根２の負圧面にディンプル状のくぼみを設けることにより、空気の流れをより羽根に密着させ、剥離を抑制し、送風性能を向上することができる。
【００２０】
以上のように本実施例によれば斜流送風機の羽根車において円錐台状のハブ部の周囲に複数枚の羽根が配設され駆動部が吸い込み側に設置されている斜流送風機において、吸い込み側のハブ径が一部小さく形成され、前記ハブの各端部が少なくとも一部丸みを帯びさせることにより、別の同じ羽根車のハブ部を軸方向へ幾つも積み重ねることができるようになり、効率的な荷姿を完成させることができる。また、別にハブ部に切り欠きをする必要がないので流れの剥離による乱れがなく、スムースに流すことができる。
【００２１】
【発明の効果】
上記から明らかなように、本願発明の斜流羽根車は円錐台状のハブ部の周囲に複数枚の羽根が配設され駆動部が吸い込み側に設置されている斜流送風機において、吸い込み側のハブ径が一部小さく形成され、前記ハブの各端部が少なくとも一部丸みを帯びさせることにより、送風性能を何ら阻害することなく、安価で効率的な荷姿を実現することができる。という効果を奏する。
【図面の簡単な説明】
【図１】本発明の一実施例を示す斜流羽根車を示す図
【図２】従来の羽根車を示す図
【図３】他の従来の羽根車を示す図
【符号の説明】
２  羽根
６  斜流羽根車
７  ハブ部
８  吸い込み側ハブ部
９  モータ
１０  ボス部
【図１】
2004308622.tif 000003
【図２】
2004308622.tif 000004
【図３】
2004308622.tif 000005
(57)【要約】【課  題】従来の階段は、若い人や足の丈夫な人には良いが、足の弱い人や高齢者には、負担がかかる面がある。【解決手段】階段の構造の発明により、解決したものである。それは、図２の２の部分のみの階段を、らくらく階段は、図１のように、一階段を二段にして高さが２分の１にすることにより、らくらくと上がり降り出来る。健康な人は、図２の２の部分のみを使用すれば良く、一石二鳥の朗報である。【活用範囲】家庭やマンション、駅や道路の陸橋や公園公共物の階段に適用出来そして、ハシゴや脚立にも活用出来、より楽しく有意義な日常生活の実現を可能にした、らくらくシルバー階段、である。【選択図】  図２
2004308388.tif 000002
【特許請求の範囲】
【請求項１】
らくらく上り降り出来る階段
【発明の詳細な説明】
【０００１】
【発明に属する技術分野】
本発明は、社会全般において段差に関する。
【０００２】
【従来の技術】
階段の構造にある，（例えば全体図の２の部分のみの階段であった）全体図参照
【０００３】
従来の階段について説明する。前記の２の部分のみの階段は、足の弱い人や高零者には負担がかかる面がある。
【０００４】
らくらく階段は、図解の部分図のように１階段を２段にして、高さが２分の１にすることにより、らくらくと上り降りできる。
【０００５】
【特許文献１】
【非特許文献１】
【０００６】
【発明が解決しようとする課題】
以上に述べた従来の階段では、高齢者においても、今まですみなれた住まいの２階や３階の生活が苦しくて悩んでいる。
【０００７】
本発明は、このような従来の構造が有した問題を解決しようとするものであり、家庭の階段はもとより、駅や道路の陸橋や公園公衆などの階段に適用して、より楽しく有意義な生活を実現することを目的とするものである。
【０００８】
【課題を解決するための手段】
そして、本発明は上記の目的を達成するために新施工は、らくらく階段の設置を望むものである。
【０００９】
また、第２の課題解決手段は、既に出来ている階段である。（全体図参照）図の１、斜線の部分を設置することである。
【００１０】
その、設置についても材料によって異なる
【００１１】
【発明の実施の形態】
材料は、木、鉄、セメントなどが多く使用される。それは適材適所でえらび直線や曲線やらせん状にと新思考で行えばよい。
【００１２】
前に述べた０００９の、斜線の部分を設置については、木材は金具で取り付け
、鉄部は溶接でセメントはセメントで、又ボンドの使用も出来る。
【発明の効果】
この発明は、足の弱い人や、高齢者に朗報である。
【図面の簡単な説明】
【図１】斜線の部分が発明箇所である。
【図２】全体図の上りでは、２の白い部分を右足、１の斜線の部分を左足で上がればらくらく上がれて、２の白い部分のみ使って上がれば普通の階段で、一石二鳥，のらくらく階段です。
2004308388.tif 000003
2004308388.tif 000004
【手続補正書】
【提出日】平成15年6月17日(2003.6.17)
【手続補正１】
【補正対象書類名】図面
【補正対象項目名】全図
【補正方法】変更
【補正の内容】
【図１】
2004308388.tif 000005
【図２】
2004308388.tif 000006
(57)【要約】【課題】建具にかかる抵抗【解決手段】建具下部に竹を貼り敷居及び、敷居スベリにかかる抵抗を取り軽くする。【選択図】    図１
2004308383.tif 000002
【特許請求の範囲】
【請求項１】
引戸用補助竹を下に付けることによって、重い建具の滑りを軽くする。今までの敷居スベリでは、補えなかった建具に発する抵抗を２点の竹スキーで支え、木の木口に発生する抵抗を和らげる。
【発明の詳細な説明】
【発明の属する技術分野】
建具に竹を付ける。
【従来の技術】
敷居に敷居スベリを貼る。
【発明が解決使用とする課題】
建具下に、発生する木目の抵抗を和らげる。
【課題を解決するための手段】
本来建具は木工品で有り、木には木面と木口がある。その木口に面を取った竹を貼って木口にかかる抵抗をなくする。
【発明の実施の形態】
木口に竹を使用する事により、建具にかかる抵抗をなくし、スムーズに開閉する。
【実施例】
【発明の効果】
建具の木口を直接敷居や敷居スベリにつけず開閉が簡単。
【図面の簡単な説明】
【図１】建具図
【図２】建具横図
【図３】拡大図
【符号の説明】
１    建具
２    建具横
３    本品  竹スキー
４    面
５    両面テープ（市販品）
６    本品  横面
７    本品  正面
【図１】
2004308383.tif 000003
【図２】
2004308383.tif 000004
【図３】
2004308383.tif 000005
(57)【要約】【課題】バックホウのバケット交換のためにバケットピンをネジの力で押し出すバケットピン抜き器を提供する。【解決手段】固定器（１）をバケットに固定し、押しピン受け（５）に押しピン（２）を載せナット（３）とボルト（４）の力でピンを押し出すことを特徴とする。【選択図】  図１
2004308386.tif 000002
【特許請求の範囲】
【請求項１】
固定器（１）をバケットの上に設置し、押しピン（２）をネジ（３）の力で押しバケットのピンを抜くピン抜き器。
【発明の詳細な説明】
【０００１】
【発明の属する技術分野】
この発明は、ネジの回転によって得られる力を利用してピンを押し出すピン抜き器に関するものである。
【０００２】
【従来の技術】
従来、バックホウのバケットのピンを抜く道具はなく人力で行っていた。
【０００３】
【発明が解決しようとする課題】
そのために、次のような欠点があった。
（イ）２人の人間で行っていた。
（ロ）ピンを抜くとき、大ハンマーで押しピンをたたいて抜くかなり重動労で時間もかかっていた
【０００４】
【課題を解決するための手段】
バケットに固定器（１）を設置する。そして固定器に押しピン（２）を置きそれをネジ（３）の回転により押し込んでピンを抜く。
本発明は、以上の構成からなるピン抜き器である。
【０００５】
【発明の実施の形態】
以下、本発明の形態について説明する。
（イ）バケットのピンの取り付け部分に固定器（１）を置き水平になるように調整ボルトを設けます。
（ロ）固定器は、バケットピンより一回り小さい押しピンが置けるような長さを確保します。
（ハ）固定器に、押しピンより少し長めのボルト・ナツトを設置します。
【０００６】
【発明の効果】
大ハンマーでたたくという重動労もなく、１人の人間で短時間にピンを抜きバケットの取り付け交換ができます。
【図面の簡単な説明】
【図１】本発明の正面図
【図２】本発明の腰部断面図
【符号の説明】
（１）固定器
（２）押しピン
（３）ロングボルト・ナット
【図１】
2004308386.tif 000003
【図２】
2004308386.tif 000004
(57)【要約】      （修正有）【課題】自転車などの進入を禁止している公園などに、自転車が入ってきて困る、このようなとき、歩行者は自由に通れて、自転車は通れない柵を提供する。【解決手段】支柱ｂを図のように加工し、この支柱ｂを、地盤ウに建て込み、基部の幅（４０ｃｍ）を上部の幅（８０ｃｍ）より狭くすることによって、基部は、歩いて足が通れるだけで、自転車は通れず、上部は広いから，手を振り、荷物を持って自由に通ることができる。図に示すように加工した支柱ｂを、図のように地盤ウに建て込み、基部の幅（４０ｃｍ）を上部の幅（８０ｃｍ）より狭くした柵である。【選択図】図１
2004308385.tif 000002
【特許請求の範囲】
【請求項１】
支柱（ｂ）を
【図１】のように建て込み、支柱（ｂ）の基部の幅が、上幅より狭くなるように設置して、自転車などの進入を阻み、歩行者だけを通す歩行者専用柵。
【発明の詳細な説明】
【００１】
【発明の属する技術分野】
この発明は、自転車などが、公園や広場に無断で入ってくるのを防ぎ、歩行者だけを通す，歩行者専用の柵である。
【００２】
【従来の技術】
従来は、自転車の進入を禁止して、歩行者だけ通れるようにするためには、チィエンを張ったりしていたが、歩行者が通るには、無理があり不自由であった。
【００３】
【発明が解決しようとする課題】
従来の方法では、次のような欠点があった。
（１）自転車の進入を禁止するため、チィエンが張ってある場合は、押し下げてチィエンの上を跨いで行くか、押し上げて下を潜り抜けて通ることになり、場合によっては、通れなかったりする。
（２）歩行者だけ通れるように、支柱の建て込み幅を狭く（４０ｃｍ程度）してある場合は、柵の支柱が長いと、荷物を持っては、通ることができない、又支柱が短ければ、自転車を押しながら通り抜けることができて、目的が達せられない。
本発明は、この欠点を除くためのものである。
【００４】
【課題を解決するための手段】
真っ直ぐな支柱を
【図５】のように曲げる、この支柱（ｂ）を
【図１】のように左右に２本建て込んで固定する、支柱（ｂ）の下部は上部より（２０  ＋２０）ｃｍ狭くなるように建て込んである。必要に応じて横並列に、複数にする。さらに又必要に応じてその奥（１．００ｍ）に、もう１対建て込み、支柱（ｂ）の頭部（ア）を連結棒（ａ）の（イ）に嵌め込んで
【図７】に示すように、ボールト・ナット（ｃ）で締め付けて固定する。
本発明は以上のような構成で、自転車などは、通ることができず、歩行者だけ通行できるようにした、歩行者専用柵である。
【００５】
【本発明の実施の形態】
本発明の実施の形態について、説明する。
（１）真っ直ぐな部材  （参考  外径１３０ｍｍ、長さ１８００ｍｍの中空の円筒）
2004308385.tif 000003
とする。
（２）真っ直ぐな部材  （参考  外径１６０ｍｍ内径１３５ｍｍ、長さ１４００ｍｍの中
2004308385.tif 000004
連結棒（ａ）とする。  支柱（ｂ）は、連結棒（ａ）に嵌り込む径に作る。
（３）適当な径（参考  径５ｍｍ）のボール・トナツトで、
【図７】に示すように連結棒（ａ）と支柱（ｂ）を締め付け固定する部材を作り、部材（ｃ）とする。
本発明の部材は以上である。
先ず支柱（ｂ）を２本、図面の
【図１】、
【図２】、
【図３】、
【図４】に示すように左右に、地盤（ウ）に建て込み基部を固める、以下この２本を１単位と呼ぶ。必要に応じて、その奥（参考１，００ｍ奥）に２本建て込んで１単位を作る。１単位の左側は、左手前の支柱（ｂ）の頭部（ア）を連結棒（ａ）の（イ）に挿入して嵌め込み、部材（ｃ）のボール・トナツトで締め付け、さらに１ｍ奥の支柱（ｂ）の頭部（ア）を連結棒（ａ）の他方の（イ）に挿入して嵌め込み部材（ｃ）のボール・トナツトで締め付け、右側も同じように組立てる。手前の１単位と１ｍ奥の１単位とが、連結棒（ａ）２本によって左右別々に連結され、通ってゆくときは、左右に８０ｃｍの幅（上部）で、長さ１．００ｍの手すりがあるような構造になる。この構造を１組と呼ぶ。通行量に応じて、１組を複数にする。図では２組を示している。
【００６】
【発明の効果】
このような構造の１単位を設置することにより、自転車は通り抜けることができず、歩行者は、何の制限も受けず自由に通行できる。大きい荷物を横に抱えていても、上の方は幅が広くなっているので、引っかかることもなく自由に通行できる。さらに奥（１．００ｍ）に１単位設けて１組の構造にすれば、左右に平行に設けられた連結棒（ａ）のため、自転車の通り抜けは、一段と無理になり、歩いて通るときには、手摺りに使うこともできる。
支柱（ｂ）の基部は必要に応じてコンクリートで固定すればよい、また１組構造の場合は連結棒（ａ）を嵌め込むので上部まで連結棒（ａ）で固定され、倒れたり傾いたりせず、歩行者はさらに安全に通行できる。
【図面の簡単な説明】
【図１】本発明の歩行者専用柵２組の断面図である。
【図２】本発明の歩行者専用柵２組の側面図である。
【図３】
【図１】の平面図である。
【図４】
【図２】の平面図である。
【図５】支柱（ｂ）の詳細図である
【図６】連結棒（ａ）の詳細図である
【図７】支柱（ｂ）を連結棒（ａ）に嵌め込んだ後、ボールト・ナット（ｃ）で締め付けている、詳細図である。
【符号の説明】
（ａ）  連結棒である。
（ｂ）  柵にする支柱である。
（ｃ）  ボールト・ナットである。
（Ａ）  大きい荷物を持った、長身の歩行者を示す。
（Ｂ）  背丈が低い歩行者を示す。
（ア）  支柱（ｂ）の頭部を示す。
（イ）  連結棒（ａ）の両端部を示す。
（ウ）  支柱（ｂ）を建て込む地盤。
【図１】
2004308385.tif 000005
【手続補正書】
【提出日】平成15年6月23日(2003.6.23)
【手続補正１】
【補正対象書類名】図面
【補正対象項目名】全図
【補正方法】変更
【補正の内容】
【図１】
2004308385.tif 000006
【図２】
2004308385.tif 000007
【図３】
2004308385.tif 000008
【図４】
2004308385.tif 000009
【図５】
2004308385.tif 000010
【図６】
2004308385.tif 000011
【図７】
2004308385.tif 000012
(57)【要約】【課題】台所流し台のゴミ受けの目詰りや腐敗菌の繁殖、ヌメリの発生を、動力や薬品を一切使わずに自動的に防止することができる機能を備えたゴミ受けを提供する。【解決手段】ワク（１）の下に、コイルバネ（２）を取り付け、コイルバネ（２）の下部に穴部（４）を設けた底板（３）を取り付け、使い捨て水切りネット（５）をワク（１）の外周部に引っ掛け、コイルバネ（２）の内側に装着することを特徴とする。【選択図】  図１
2004308381.tif 000002
【特許請求の範囲】
【請求項１】
ワク（１）の下部に、コイルバネ（２）を取り付け、コイルバネ（２）の下部に穴部（４）を設けた底板（３）取り付け、使い捨て水切りネット（５）をワク（１）の外周部に引っ掛け、コイルバネ（２）の内側に装着した動力源を一切使用しない、台所流し台用の目詰まり防止機能付きゴミ受け。
【発明の詳細な説明】
【０００１】
【発明の属する技術分野】
この発明は、台所流し台の排水中のゴミに起因する目詰まりの、自動防止機能を備えたゴミ受けに関するものである。
【０００２】
【従来の技術】
従来は、ゴミ受けの円筒部の周囲と円板状の底部に、微細な穴を多数設けて排水中のゴミをろ過する構造で、目詰まり防止機能は備わっていなかった。（例えば非特許文献１参照）
また、使い捨ての水切りネットを使用するタイプでは、螺旋形のゴミ受けが考案されているがこれも目詰まり防止機能は備わっていなかった。（例えば特許文献１参照）
【０００３】
【非特許文献１】
鈴木昌子、素敵なキッチンＶｏｌ▲１０▼、日本、（株）立風書房、２００３年２月１８日、９３項
【特許文献１】
特開平成１３年８月７日（２００１．８．７）
【０００４】
【発明が解決しようとする課題】
これには、次のような欠点があった。
（イ）  従来のゴミ受けは微細な穴を多数設けているので、排水中のゴミに起因する目詰まりを短期間に誘発して、台所流し内に溢れそうになる。
（ロ）  従来のゴミ受けは掃除をするとき、微細な穴にゴミが食い込んで簡単には取れないばかりか、ゴミが残ったまま使用すると、益々短期間に目詰まりを起こす事になる。
（ハ）  従来のゴミ受けは内容量に対して表面積が大きいので、腐敗菌やゴミが付着しやすく、不衛生である。
（ニ）  螺旋形のゴミ受けの場合は、構成材の線材自体にはヌメリが付きにくいが、積極的な目詰まり防止策が備わっていないために、水切りネット内にヌメリが発生して、短期間に目詰まりを起こす。
本発明は、以上の欠点を解決するためになされたものである。
【０００５】
【課題を解決するための手段】
ワク（１）の下部にコイルバネ（２）を取り付ける。そして、コイルバネ（２）の下部にに穴部（４）を設けた底板（３）を取り付ける。さらに、使い捨て水切りネット（５）をワク（１）の外周部に引っ掛け、コイルバネ（２）の内側に装着する。
本発明は、以上の構成よりなる台所流し台用の目詰まり防止機能付きのゴミ受けである。
【０００６】
【発明の実施の形態】
以下、本発明の実施の形態について説明する。
（イ）  フランジ状のワク（１）の下部に、排水トラップ（６）の底部（７）に当たらない高さのコイルバネ（２）を取り付ける。
（ロ）  円板状の底板（３）の表面に、排水の通り具合を十分に考慮し、適当な大きさの穴部（４）を設ける。
（ハ）  ステンレス製または銅製のコイルバネ（２）の下部に、底板（３）を取り付ける。
（ニ）  市販の使い捨て水切りネット（５）をワク（１）の外周部に引っ掛けコイルバネ（２）の内側に装着する。
本発明は以上のような構成よりなっている。
本発明を使用するときは、従来のゴミ受けと同様に、台所流し台の排水トラップ（６）に収めるだけで、次のようにして使い捨て水切りネット（５）の目詰まりの防止効果を得ることができる。
台所流し台内に排水（８）を流すと、排水中のゴミ（９）と共に使い捨て水切りネット（５）の中へ流入する、そして、排水（８）は使い捨て水切りネット（５）の網目を通過する、しかし、ゴミ（９）は通過できずに網目を塞ぐため、排水（８）の通過を妨げ、使い捨て水切りネット（５）内の水は増加する、これにより、排水（８）とゴミ（９）の重量は、下方への力として底板（３）に作用する、そして、コイルバネ（２）の収縮力は下方への力に耐えられず、使い捨て水切りネット（５）とともに下へ伸びる、このような現象により使い捨て水切りネット（５）内のゴミ（９）に亀裂を生じ、その隙間から排水（８）が流出し、使い捨て水切りネット（５）内の水は減少する。これにより、底板（３）の下方への力は小さくなり、コイルバネ（２）の収縮力は復帰して、使い捨て水切りネット（５）とともに上へ縮む。
このように、排水毎の底板（３）の下降と上昇に伴い、使い捨て水切りネット（５）は、自動的に伸縮動作を繰り返し、ゴミ（９）はふるい落とされ、目詰まり防止効果が得られる。
【０００７】
【発明の効果】
本発明を使用する事によって、ゴミ受けの目詰りを自動的に防ぐ事ができるので、お茶ガラやぬか漬けや根菜の土を流すことも可能で、三角コーナーが不要になり水回りがスッキリする。加えて、ゴミが付着しにくいため腐敗菌の繁殖が抑えられ、長期間にわたって排水トラップ内を清潔に保ことができる。しかも掃除や使い捨て水切りネットの交換が楽になり、これまでの主婦の苦痛を解消することができる。
また本発明はいたって単純な構造であるため、低コストで、かつ、大量生産に適している。このため、生産者と消費者の双方にとってメリットがある。
【図面の簡単な説明】
【図１】本発明の斜視図
【図２】本発明の底面図
【図３】本発明の使用実施例の切り欠いた斜視図
【図４】本発明の使用実施例の切り欠いた側面図
【図５】本発明の使用実施例の切り欠いた側面図
【符号の説明】
１  ワク
２  コイルバネ
３  底板
４  穴部
５  水切りネット
６  排水トラップ
７  底部
８  排水
９  ゴミ
【図１】
2004308381.tif 000003
【図２】
2004308381.tif 000004
【図３】
2004308381.tif 000005
【図４】
2004308381.tif 000006
【図５】
2004308381.tif 000007
(57)【要約】【課題】建築物改修工事技術は、今第２ステップの段階に入っています。共用部の玄関扉の改修が必要な時期となり、扉を開閉状態にしたままでの作業の際に如何にしてプライバシーの保護を可能と出来るか大きな課題です。この度の製品が認知され、一般の工事施工の際の共通作業とされるようになると、安全で快適な改修時のプライバシーの保護が可能と考えます。【解決手段】安全で、短期間に組み立てが可能で、設置したままの状態でも通行が可能となり作業中に発生する埃等から室内の住環境の保護を可能と出来ます。又、洗浄が可能で再使用に耐える事により費用の低下につながります。【選択図】    図１
2004308380.tif 000002
【特許請求の範囲】
【請求項１】
玄関扉を開けた状態で作業を行なう際のプライバシー保護・埃等から室内を保護する簡易扉。
【発明の詳細な説明】
【０００１】
【発明の属する技術分野】
シートによる目隠し・埃からの養生を可能とした組み立て式の枠とファスナーを取り付けたメッシュ製の簡易扉である。
【０００２】
【従来の技術】
特に、養生を行なうことなく、開放したままで作業を行なっており、工事の際には個人のプライバシー保護を行なうことが出来ませんでした。
又近年玄関扉の修繕を含めた工事の施工に際しては簡易に木製の扉等を設置して作業を行なっており改修工事の際の費用高騰の一因となっている。
【０００３】
【発明が解決しようとする課題】
当発明は短時間で仮設の扉を設置可能とし、作業時にも通行が比較的容易に行なえるようにした。又、使用する部材から洗浄等を行ないながら再使用が可能な物とした。
【０００４】
【課題を解決する為の手段】
手段．１
取付け完了後も作業が始まるまでは開放したままとすることが可能となるようにした。
手段．２
簡易扉を使用する期間が短時間の為、再使用に耐えるものとした。
手段．３
使用するシートの種類を変える事により、使用条件が変化しても使用が可能となるようにした。（シート・耐火シート・目の大きな網なども取り付けが可能とした。）
【０００５】
【発明の実施の形態】
以下に、本発明の実施の形態について説明する。
課題１．簡易に持ち運びが可能にする為組み立て式とした。
課題２．色々な高さに取り付けが可能なように柱枠高さ無段に使用できるようにした。
課題３．作業時以外には、開放したままと出来るようにファスナーを縦・横２方向とした。
課題４．隙間から埃・虫等が入らないように、フェルトブラシを取り付けた。
課題５．敷居部分はつまづき・引っ掛け等により家人が不便を感じないように平板とした。
課題６．組み立て時に部品が紛失して使用不可とならないように、取り付けはスプリング・蝶ネジ等を使用した。
【０００６】
【発明の効果】
この扉を使用する事により工事中もプライバシーを保護出来るようになります。仮設に要する時間が短時間となり、作業性の向上につながります。
養生材が繰り返し使用が可能となり費用の低下・産業廃棄物の発生の防止となります。
【図面の簡単な説明】
【図１】本発明の使用概要図である。
【図２】本発明のフレーム部品図である。
【図３】本発明のシート（扉）部品図である。
【符号の説明】
１．柱枠            隙間埋めシート付き
２．開口部補強枠
３．ベース板        隙間埋めシート付き
４．上桟
５．天井押さえバー  隙間埋めシート付き
６．開口部シート
７．上部開口部シート
【図１】
2004308380.tif 000003
【図２】
2004308380.tif 000004
【図３】
2004308380.tif 000005
(57)【要約】      （修正有）【課題】道路上に雪を残さない除雪機を提供する。【解決手段】雪を１号機タンクに入れ、雪をボイラーで解かして水にし、その水を２号機タンクに入れてお湯にし、そのお湯をシャワーで道路に流す。【選択図】  図３
2004308396.tif 000002
【特許請求の範囲】
【請求項１】
現在の除雪機は雪を飛ばし雪の壁を作りＴ路地や十路地の左、右が見えにくく事故につながりやすい
【請求項２】
新除雪機として、考案しました
雪を飛ばさず（１号機タンクに雪を入れて、水にする）その水を２号機タンクに入れてお湯にして道路にシャワーにして流しながら前に進めば残り雪も解ける（小型機から、大型機まで可能にする）
【請求項３】
狭い道路や、家が並び雪を飛す所がなくとも（小型除湯機除雪機で）雪を解かして、シャワーでお湯を流して、雪のない道路になる
【請求項４】
現在除雪をするたび通行止をして、ダンプ車で雪を運びそちら、こちらで通行止を行なう
【請求項５】
新案の除湯機車で国道も（大型ロータリー車でもお湯をシャワーで残り雪も解かす）
通行止をしなくても、通行が可能になる
【発明の詳細な説明】
いままでの、除雪機は雪を空地などに、飛していたけど、飛さずに、雪をタンクに入れて（１号機タンク）ボイラーで雪を解して水にする
その水を（２号機タンクで、お湯にする）２号機タンクのお湯をシャワーで道路に流す、
（発明の技術分野）
▲１▼  １号機タンクとし、いままでの飛してた雪を、１号タンクに雪を入れて、水にする
▲２▼  ２号機タンクに１号タンクの水を入れてお湯にして、道路に流せば雪が残らず
▲３▼  ３号機タンクは、ボイラー用石油タンクとする
１、２、３、は雪を入れて、回転をして、雪を解しやすくする
４、金綱で、ゴミを取り
５、２号タンクに、水を流して入れる
６、１２、１６、ボイラーで水にし又お湯にして、道路にシャワーで流す
７、１１、１５、１７、石油パイプライン
８、９、残り雪と、残り水を捨てる
１０、お湯をシャワーにして道路に流して残り雪を解す．
１２、バーナーで、雪を解して、水又はお湯にする
１３、１号タンクから、２号タンクに水を入れる
１４、石油入口
２４、エントツ
【図１】
2004308396.tif 000003
【図２】
2004308396.tif 000004
【図３】
2004308396.tif 000005
【図４】
2004308396.tif 000006
【図５】
2004308396.tif 000007
【手続補正書】
【提出日】平成15年7月18日(2003.7.18)
【手続補正１】
【補正対象書類名】明細書
【補正対象項目名】図面の簡単な説明
【補正方法】追加
【補正の内容】
【図面の簡単な説明】
【図１】本考案に係る簡易教訓道路に積もった雪を吹上げる
【図２】本考案に係る簡易教訓１号機タンクに雪を入れバーナーで水にする
【図３】本考案に係る簡易教訓１号機タンクの水を２号機タンクに入れバーナーでお湯にして道路に流す
【図４】本考案に係る簡易教訓３号機タンクはバーナーの燃料入れ
【図５】本考案に係る簡易教訓運転する所
【符号の説明】
１・・・雪を取る
２・・・雪をタンクに入水にする
３・・・１タンクから、２タンクで湯にする
４・・・１号タンクと、２号タンクの燃料タンク
５・・・本体の運転する所
(57)【要約】【課題】地震、台風による衝撃を緩和し、大きな揺れの振動を吸収できる免震支持方法及び免震支持具を提供することを目的とする。【解決手段】コンクリート製の基礎Ａ上部に嵌合できる凹溝１−１と、木製もしくは金属製の土台Ｂ下部に嵌合できる凹溝１−２をそれぞれ上下面に形成したゴム等の弾性変形可能な免震支持具１を基礎Ａと土台Ｂの間にそれぞれの凹溝１−１、１−２を嵌合させることによって装着し、凹溝１−１の側壁１ａを基礎Ａに、凹溝１−２の側壁１ｂを土台Ｂにそれぞれアンカーボルト等により固定することによって基礎Ａから土台Ｂへ伝わる振動を減衰させるようにしたことを特徴とする。【選択図】        図２
2004308394.tif 000002
【特許請求の範囲】
【請求項１】
コンクリート製の基礎Ａ上部に嵌合できる凹溝１−１と、木製もしくは金属製の土台Ｂ下部に嵌合できる凹溝１−２をそれぞれ上下面に形成したゴム等の弾性変形可能な免震支持具１を基礎Ａと土台Ｂの間にそれぞれの凹溝１−１、１−２を嵌合させることによって装着し、凹溝１−１の側壁１ａを基礎Ａに、凹溝１−２の側壁１ｂを土台Ｂにそれぞれアンカーボルト等により固定することによって基礎Ａから土台Ｂへ伝わる振動を減衰させるようにしたことを特徴とする建築用免震支持方法。
【請求項２】
基礎Ａ上部に嵌合できる凹溝１−１と木製もしくは金属製の土台Ｂ下部とに嵌合できる凹溝１−２をそれぞれ上下面に形成したゴム等の弾性変形可能な免震支持具１。
【発明の詳細な説明】
【０００１】
【発明の属する技術分野】
本発明は、主として建築物の布基礎と土台及び束石と木製もしくは金属製の束の間に敷設して使用する免震支持方法及び免震支持具に関するものである。
【０００２】
【従来の技術】
従来の建築用免震支持方法として、特開平８−２３２５００号公報に記載されるように、木造家屋（鉄骨製の家屋を含む）のコンクリート製の布基礎及び束石の上に直接木製もしくは金属製の土台や束を敷設すると、布基礎及び束石に接触している土台や束が腐食するので、これを防止するために布基礎と土台の間に、約１ｍ間隔で合成ゴム等の材料から成る基礎受け板を敷き、基礎部分と土台部分とを基礎部分に垂直に埋設されたアンカーボルトで締めることで固定することによって免震効果を発揮するとされる発明が公知である。
【０００３】
【発明が解決しようとする課題】
しかしながら、この従来の工法では、免震効果を発揮するために合成ゴム等の基礎受け板を布基礎及び束石の間に挟み込んだとしても、コンクリート製の基礎部分に埋め込みもしくは取り付けられているアンカーボルトで土台部分と基礎部分がしっかりと固定されること、すなわち、アンカーボルトをきつく締め付けることで免振効果はほとんど無くなってしまい免震効果は期待できないものであり、締め付けが甘い場合は、軽微な振動に対しては効果があるが、大きな振動や揺れに対しては、基礎部分と土台部分が外れて家が崩壊する危険性があった。
【０００４】
【発明の目的】
本発明は、上記課題を解決し、地震、台風による衝撃を緩和し、大きな揺れの振動を吸収できる免震支持方法及び免震支持具を提供することを目的とするものである。
【０００５】
【課題を解決するための手段】
本発明に係る建築用免震支持方法は、コンクリート製の基礎Ａ上部に嵌合できる凹溝１−１と、木製もしくは金属製の土台Ｂ下部に嵌合できる凹溝１−２をそれぞれ上下面に形成したゴム等の弾性変形可能な免震支持具１を基礎Ａと土台Ｂの間にそれぞれの凹溝１−１、１−２を嵌合させることによって装着し、凹溝１−１の側壁１ａを基礎Ａに、凹溝１−２の側壁１ｂを土台Ｂにそれぞれアンカーボルト等により固定することによって基礎Ａから土台Ｂへ伝わる振動を減衰させるようにしたことを特徴とするものである。
【０００６】
【発明の作用】
基礎Ａと土台Ｂが免震支持具１を介して一体化しているので、基礎部分と土台部分が外れることがなく、基礎部分からの震動はゴム等の弾性変形可能な免震支持具１が吸収して土台部分への伝達が小さくなる。
【０００７】
【発明の実施の形態】
本発明の実施の形態を図面について具体的に説明する。
図１は、本発明方法を実施するための免震支持具の斜視図、図２は、本発明方法の実施状態の斜視図、図３は、同要部の縦断側面図である。
【０００８】
１は、本発明方法を実施するためのゴム等の弾性変形可能な材料を以って成形されている側面形状がＨ型の免震支持具であって、コンクリート製の基礎Ａ上部に嵌合できる凹溝１−１と木製もしくは金属製の土台Ｂ下部に嵌合できる凹溝１−２をそれぞれ上下面に形成してある。
【０００９】
２は、凹溝１−１の側壁１ａを基礎Ａに、凹溝１−２の側壁１ｂを土台Ｂにそれぞれ固定するアンカーボルトであって、アンカーボルト以外にねじ等建築用に使用される固定具であってもよい。
【００１０】
次に、上記免震支持具による家屋の免震支持方法を説明する。
【００１１】
即ち、家屋の基礎が完成した後に複数の免震支持具１を基礎Ａと土台Ｂの間にそれぞれの凹溝１−１、１−２を嵌合させることによって装着し、凹溝１−１の側壁１ａを基礎Ａに、凹溝１−２の側壁１ｂを土台Ｂにそれぞれアンカーボルト２・・・２等により固定するものである。
【００１２】
【発明の効果】
以上述べたごとく、本発明に係る建築用免震支持方法によれば、コンクリート製の基礎Ａ上部に嵌合できる凹溝１−１と、木製もしくは金属製の土台Ｂ下部に嵌合できる凹溝１−２をそれぞれ上下面に形成したゴム等の弾性変形可能な免震支持具１を基礎Ａと土台Ｂの間にそれぞれの凹溝１−１、１−２を嵌合させることによって装着し、凹溝１−１の側壁１ａを基礎Ａに、凹溝１−２の側壁１ｂを土台Ｂにそれぞれアンカーボルト等により固定することによって基礎Ａから土台Ｂへ伝わる振動を減衰させるようにしたものであるから、大規模かつ高価な免震設備を使用することなく、非常に簡単な工法で、従来の微振動の軽減だけでなく、台風や地震等のよる大きな振動や揺れを軽減することができるもので、高層ビルや集合住宅のような大規模建築物ではなく、個人所有の一戸建て建築物の免震設備としては施工費用等の面からしても最適な免震支持方法といえるものである。
【図面の簡単な説明】
【図１】本発明方法を実施するための免震支持具の斜視図である。
【図２】本発明方法の実施状態の斜視図である。
【図３】同要部の縦断側面図である。
【符号の説明】
１            免震支持具
１−１        凹溝
１−２        凹溝
２            アンカーボルト
【図１】
2004308394.tif 000003
【図２】
2004308394.tif 000004
【図３】
2004308394.tif 000005
(57)【要約】      （修正有）【課題】指を挟むことのないドア用蝶番を提供する。【解決手段】ドアの蝶番１に於いて、片側の羽を蝶番軸線と平行にＬ型に折り曲げ、ドアを閉じた状態で蝶番１がコの字型となる構成とする。上記のコの字型の空隙を通りドアの辺に棒状のスポンジ等緩衝材５を介在させる構成とする。【選択図】図２
2004308400.tif 000002
【特許請求の範囲】
【請求項１】
旋回開閉するドアの蝶番に於いて、片側の羽を蝶番軸線と平行にＬ型に折り曲げ、該Ｌ型に折り曲げた内側に角型、若しくは異形断面の棒状のスポンジ等緩衝材を介在させることを特徴とするドア用蝶番。
【発明の詳細な説明】
【発明の詳細な説明】
【産業上の利用分野】
【０００１】  本発明は、旋回開閉するドアの蝶番の構成に関わるものである。
【背景技術】
【０００２】  従来、旋回開閉するドアの蝶番に於いて、通常空隙が無い構成がある。
【発明が解決しようとする課題】
【０００３】  本発明の目的とするところは、従来の蝶番を使用した旋回開閉するドアは閉じられた状態で蝶番側のドア本体とドア枠の間に空隙がなく、ドア本体やドア枠供に固い材質であるため、指を挟むと危険である。
【０００４】  本発明は、閉じたときに蝶番がコの字型になりドアとドア枠の間に指を挟んでもケガをすることの無い十分な空隙ができる。
【０００５】  更に、その上記の隙間に棒状のスポンジを介在させることを解決すべき技術的課題とする。
【課題を解決するための手段】
【０００６】  上記課題を解決するための技術的手段は、旋回開閉するドアの蝶番に於いて、片側の羽を蝶番軸線と平行にＬ型に折り曲げ、ドアを閉じた状態で蝶番がコの字型となる構成とする。
【０００７】  上記のコの字型の空間を通りドアの辺に棒状のスポンジ等緩衝材を介在させる構成とするものである。
【作用】
【０００５】  本発明の作用を説明すると、旋回開閉するドアを閉じたとき、本発明の蝶番のＬ型折り曲げ部がコの字状となり、蝶番側のドアと枠の間に縦に空隙ができる。
【０００７】  上記隙間に棒状のスポンジ等緩衝材が介在していることにより、気密性を持たせることができ、更に、指を挟んでもスポンジ等緩衝材で吸収でき、ケガをすることが無い。
【実施例】
【０００８】  本発明の実施例を図面に基づいて説明すると、図１に於いて１は、２ピン、３フッラトな羽、４Ｌ型に折り曲げた羽を有する蝶番、図２に於いて１は前記蝶番、５は棒状のスポンジ等緩衝材、６はドア枠、７はドア本体、図３に於いて１は前記蝶番、５はスポンジ等緩衝材、６はドア枠、７はドア本体である。
【発明の効果】
【０００９】  以上の如く本発明によれば、旋回開閉するドアに於いて本発明のＬ字型の蝶番を使用することにより、ドアを閉じたときに該蝶番がコの字型の空隙部を構成することにより、ドアとドア枠の間に指を挟んでもケガをすることの無い十分な空隙ができ、その空隙に棒状のスポンジ等緩衝材を介在させることにより空隙を充填し、そのことにより、指を挟んでも危なくない有用性の高いものである。
【図面の簡単な説明】
【図１】  本発明を実施した蝶番本体の斜視図。
【図２】  本発明の蝶番戸とスポンジ等緩衝材を組み付けた断面図。
【図３】  本発明を実施した図２と同じ状態の正面図。
【符号の説明】
１、    蝶番
２、    ピン
３、    フラットな羽
４、    Ｌ型に折り曲げた羽
５、    スポンジ等緩衝材
６、    ドア枠
７、    ドア本体
【図１】
2004308400.tif 000003
【図２】
2004308400.tif 000004
【図３】
2004308400.tif 000005
(57)【要約】      （修正有）【課題】カラーコーンの運搬、移動をより簡便にスムーズに処理できるようにすることを提供する。【解決手段】カラーコーン１に手指が自由に入れるような穴２を設けて、片手でも数本を重ねても持てるようにして、運搬や移動をより便利に処理できることを特徴とする。【選択図】図１
2004308397.tif 000002
【特許請求の範囲】
【請求項１】
道路工事等の現場で使用されるカラーコーンに、手の指４本が入り、しかもカラーコーンを数本重ねても片手で運搬、移動できるように穴を設けたカラーコーン。
【発明の詳細な説明】
【０００１】［発明の属する技術分野］
この発明は、道路工事等の現場で使用されるカラーコーンに、手の指が自由に入る穴を設け、運搬や移動に際して簡便に処理できるようにしたカラーコーンに関するものである。
【０００２】［従来の技術］
従来から道路工事等の現場で使用されているカラーコーンは、危険の表示や事故を予防する意味において重要な役目を持っている。しかしそのほとんどがプラスチック製のためか、頭部が丸くなっており、素材や形状の問題もあって、効果的な運搬や移動には手間取る場面が多い。またゴム製のカラーコーンについても、その頭部が切断されているものもあるが、穴が小さいため、手指が自由に入らず、持ち運びに関しては、同様に簡便、迅速に処理することができない状態である。
【０００３】［発明が解決しようとする課題］
カラーコーンには次のような欠点があった。
（イ）片手では１本しか持ち運びが出来ない。
（ロ）２本以上重ねて持つためには両手を使用しなければならない。
（ハ）プラスチック製の場合、頭部が丸く、指でつかみずらいし、滑りやすい。
（ニ）ゴム製の場合、頭部に設けてある穴が小さいため、手の指が自由に入らず、重量もあって運搬しずらい。
【０００４】［課題を解決するための手段］
（イ）カラーコーンの中腹に、手の指が自由に入れるような穴を設ける（図１）。
（ロ）図２のように、対面部に相当する中腹にも同様の穴を設ける。
（ハ）３本又は４本のカラーコーンを重ね持てるような大きさの穴を設ける。
（ニ）ゴム製の場合でも同様の穴を設ける。
【０００５】［発明の実施の形態］
以下、本発明の実施の形態について説明する。
（イ）カラーコーンの上部３分に１あたりの部分に、運搬や移動をより円滑に、スピーディに作業できるように、手の指が４本自由に入る穴（親指以外）を設ける。
（ロ）片手で３本又は４本重ね持ちできるような大きさの穴にする。
（ハ）設けた穴は一方だけでなく対面部に相当する部分にも施して、カラーコーンを重ねやすくする。
【０００６】［発明の効果］
本発明によって、カラーコーンの運搬や移動が手間取ることなく処理することが可能になり、しかも片手でも４本までは持ち運びができるようになった。また夜間に点滅する電線を穴に通すことによって、電線の安全性や管理にも利便性が生まれた。
【図面の簡単な説明】
図１、カラーコーンに設けた穴についての正面図
図２、対面部に相当する部分にも穴を設けたカラーコーンの平面図
【符号の説明】
１、カラーコーン
２、カラーコーンに設けた穴
【図１】
2004308397.tif 000003
【図２】
2004308397.tif 000004
(57)【要約】【課題】本発明は、新築家屋は勿論、既存の家屋にも安価な費用で容易に設置できる引き違い二重窓構造を提供しようとするものである。【解決手段】外枠フレームと該外枠フレームにはめ込む樹脂板よりなり、外枠フレームは窓枠に取り付けられ、上部は下向き嵌合溝とし、下部はガイド溝とし、樹脂板は少なくとも左右に撓み防止ガイドを嵌め込み、該撓み防止ガイドは嵌合溝とガイド溝に嵌め込み自在としてなる引き違い二重窓構造である。【選択図】  図１
2004308347.tif 000002
【特許請求の範囲】
【請求項１】
外枠フレームと該外枠フレームにはめ込む樹脂板よりなり、外枠フレームは窓枠に取り付けられ、上部は下向き嵌合溝とし、下部はガイド溝とし、樹脂板は少なくとも左右に撓み防止ガイドを嵌め込み、該撓み防止ガイドは嵌合溝とガイド溝に嵌め込み自在としてなる引き違い二重窓構造。
【発明の詳細な説明】
【０００１】
【産業上の利用分野】
本発明は断熱、防音、災害時の安全性等に優れた窓構造に関するものである。
【０００２】
【従来の技術及びその問題点】
従来既存の引き違い窓を二重窓構造とする場合は窓枠全体を交換し、且雨漏り防止細工をするなど大掛かりな工事となり、一般消費者には多大の負担として家庭経済を圧迫する恐れがある。
【０００３】
【発明が解決しようとする課題】
そこで本発明は、新築家屋は勿論、既存の家屋にも安価な費用で容易に設置できる引き違い二重窓構造を提供しようとするものである。
【０００４】
【課題を解決するための手段】
本発明は、外枠フレームと該外枠フレームにはめ込む樹脂板よりなり、外枠フレームは窓枠の内側に取り付けられ、上部は下向き嵌合溝とし、下部はガイド溝とし、樹脂板は少なくとも左右に撓み防止ガイドを嵌め込み、該撓み防止ガイドは嵌合溝とガイド溝に嵌め込み自在としてなる引き違い二重窓構造である。
【０００５】
本発明を図示の実施例によって詳記すると、既存の窓が据え付けられている窓枠１の内側に周設される外枠フレーム２と、該外枠フレーム２に嵌め込む透明等の樹脂板３よりなり、外枠フレーム２は、上部は下向きの嵌合溝４とし、下部は二条のガイド溝５としてあり、樹脂板３は少なくとも左右に撓み防止ガイド６を嵌め込んでなるもので、撓み防止ガイド６，６の互いの引き違い重合面には膨らみ７をもたせて引き違い中央での密接効果を高めるようにし、引き違い中央以外の撓み防止ガイド６の部分は外枠フレーム２に密着するよう設置する。
【０００６】
外枠フレーム２は窓枠１へ固定する為のものであり、密閉性を高める為、撓み防止ガイド６が重なるときの膨らむ力に耐えうる素材のもの、例えばアルミ、樹脂成形等が良く、この窓枠１への固定手段としてはビス止め、釘止め、両面接着テープ止め、接着剤、溝へのはめ込み方式等があり、現場に応じ適宜最適の方法をとればよい。
【０００７】
樹脂板３はポリカーボネート、アクリル、塩化ビニル等の樹脂素材とし、透明、半透明、着色等は任意であり、エンボス加工、波板加工等任意の形状とし、板厚としては１〜５ｍｍが望ましい。
【０００８】
撓み防止ガイド６は互いの引き違い中央でその厚さ、形状で外側へ広がり外枠フレーム２と密着するようにしてあり、撓み防止ガイド６の膨らみもその密着性能を高める為のものである。
【０００９】
以上は窓枠１の内側に取り付けた状態のもので説明したが、窓枠１の外側に取り付けるようにしても良い。図中８は撓み防止ガイド６に取り付けた開閉取っ手である。
【００１０】
【効果】
本発明は叙上のように、外枠フレームと該外枠フレームに嵌め込む樹脂板よりなり、外枠フレームは窓枠に取り付けられ、上部は下向き嵌合溝とし、下部はガイド溝とし、樹脂板は少なくとも左右に撓み防止ガイドを嵌め込み、該撓み防止ガイドは嵌合溝とガイド溝に嵌め込み自在としてあるので、引き違い二重窓構造を新築家屋は勿論、既存の家屋にも安価な費用で容易に設置できる。
【図面の簡単な説明】
【図１】本発明に係る引き違い二重窓構造の正面、縦断面、横断面を示した説明図。
【図２】撓み防止ガイド、開閉取っ手部分の横断拡大断面説明図
【図３】ガイド溝部分の拡大断面説明図。
【図４】図１の点線で示した円内の拡大説明図。
【符号の説明】
１は窓枠
２は外枠フレーム
３は樹脂板
４は嵌合溝
５はガイド溝
６は撓み防止ガイド
７は膨らみ
８は開閉取っ手
【図１】
2004308347.tif 000003
【図２】
2004308347.tif 000004
【図３】
2004308347.tif 000005
【図４】
2004308347.tif 000006
(57)【要約】【課題】発泡ウレタンによる防音処理施工は躯体に直に吹き付けて取り付けるためそれを除去することが困難であり、後施工するには施工する状態が限られ施工状態後の見た目も悪かった。【解決手段】発泡ウレタン１に複数の吸盤２を設ける。見た目を良くするため、吸盤の反対面には金属、又は陶器等の板を取り付ける。【選択図】  図１
2004308293.tif 000002
【特許請求の範囲】
【請求項１】
発泡ウレタン材の片面に、複数吸盤を取り付け固定させ、反対の面には金属、又は陶器等の板状のものを取り付けたことを特徴とする防音パネル。
【発明の詳細な説明】
【０００１】
【発明の属する技術分野】
この発明は、音などが壁、床等を伝わってくる面に取り付けるパネルに関する。
【０００２】
【従来の技術】
従来の発泡ウレタンによる防音処理は直に躯体の壁又は床等に吹き付ける施工方法である。
【０００３】
【発明が解決しようとする課題】
しかしながら、以上の従来技術によれば、発泡ウレタンを直に吹き付けた場合それを除去する作業が困難である。又、室内の内装が仕上がった状態で同上の防音処理は困難であり、見た目も悪くなる。
そこで、この発明は、見た目も良く、取り付け、取り外しも容易に施工できる防音パネルを提供することを課題とする。
【０００４】
【課題を解決するための手段】
以上の課題を解決するために、請求項１の発明は、発泡ウレタン材の片面に、複数吸盤を取り付け固定させ、反対の面には金属、又は陶器等の板状のものを取り付けたことを特徴とする防音パネル。
【０００５】
【発明の実施の形態】
この発明の一実施形態を、図１、図２に示す。
防音パネルの本体１は発泡ウレタンであり、この本体１の片面には、２の吸盤が複数設けられている。その反対面には３の金属、又は陶器等の板が設けられている。このパネルを音の伝わる面に並べて取り付ける。
【０００６】
「実施形態の効果」
この実施形態によれば、２の吸盤の働きで、壁などの面に取り付け、取り外しが容易になり、本体１の発泡ウレタンにより音が吸収される。又、３の板が見た目の良い平面を作ってくれる働きをする。
【０００７】
「他の実施形態」
図２の実施形態では、見た目を良くする金属、又は陶器等の板３であったが、他の実施形態では、見た目を気にしない面に取り付ける場合は特に設けなくても良い。
【０００８】
【発明の効果】
以上説明したように、この発明によれば、発泡ウレタンに吸盤を複数固定したものを音の伝わる面に並べて取り付けることにより騒音等の音が軽減することと、金属、又は陶器等の板により見た目も良くなる。
【０００９】
また、防音が必要なくなった場合でもそれを取り外して他の場所でも再利用できる。
【図面の簡単な説明】
【図１】この発明の一実施形態を示す斜視図である。
【図２】この発明の一実施形態を別の角度から示す斜視図である。
【符号の説明】
１  発泡ウレタン本体          ２  吸盤
３  金属、又は陶器等の板
【図１】
2004308293.tif 000003
【図２】
2004308293.tif 000004